【手続補正書】
【提出日】平成29年9月19日(2017.9.19)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
チャネル状態情報（ＣＳＩ）を特定の時間において同時に送信するように２つ以上の局に求める要求を、アクセスポイントから前記２つ以上の局に通信することと、
前記アクセスポイントにおいて、前記２つ以上の局の各々から前記ＣＳＩを受信することと
を備える、方法。
【請求項２】
前記ＣＳＩを前記受信することが、前記ＣＳＩを、多ユーザ多入力多出力（ＭＵ−ＭＩＭＯ）送信、周波数分割多元接続（ＦＤＭＡ）送信、および直交周波数分割多重化（ＯＦＤＭＡ）のうちの少なくとも１つまたは複数に従って受信することを備えるか、または、
前記ＣＳＩを前記受信することが、前記ＣＳＩを、前記２つ以上の局の各々から、互いに同じ持続時間を有するアップリンク送信を介して受信することを備えるか、または、
前記ＣＳＩを前記受信することが、前記ＣＳＩを、前記要求のデータフィールドの中で伝達される情報に基づいて受信することを備える、請求項１に記載の方法。
【請求項３】
前記要求の前記通信が、チャネル推定のためのトレーニング系列を含むメッセージを送信することを備えるか、または、
前記要求の前記通信が、前記要求を前記アクセスポイントから個別に前記２つ以上の局の各々に同時に送信することを備える、請求項１に記載の方法。
【請求項４】
前記要求を通信することが、
第２のメッセージの送信を示す第１のメッセージを送信することと、前記第１のメッセージが、前記第２のメッセージを前記２つ以上の局が受信した後の前記特定の時間において同時に前記ＣＳＩを送信するように前記２つ以上の局に要求する、
前記第２のメッセージを前記２つ以上の局に送信することと
を備え、
前記第１のメッセージが、ヌルデータパケットアナウンスメントメッセージを備えるか、または、
前記第２のメッセージが、トレーニングメッセージまたはヌルデータパケットを備える、請求項１に記載の方法。
【請求項５】
前記特定の時間が、前記要求の前記通信の終わりの後、短フレーム間空間（ＳＩＦＳ）時間で生じる、請求項１に記載の方法。
【請求項６】
前記特定の時間が、前記第２のメッセージの前記送信の終わりの後、短フレーム間空間（ＳＩＦＳ）時間で生じる、請求項４に記載の方法。
【請求項７】
前記要求の前記通信が、ヌルデータパケットアナウンスメントメッセージを送信することを備え、前記ヌルデータパケットアナウンスメントメッセージが、前記ＣＳＩを送信するためのアップリンク送信のタイプを示すサウンディングダイアログトークンフィールドを備え、アップリンク送信の前記タイプが、多ユーザ多入力多出力（ＭＵ−ＭＩＭＯ）送信、および周波数分割多元接続（ＦＤＭＡ）送信のうちの少なくとも１つを備える、請求項１に記載の方法。
【請求項８】
前記要求の前記通信が、修正されたヌルデータパケットアナウンスメントメッセージを送信することを備え、前記修正されたヌルデータパケットアナウンスメントメッセージが、局（ＳＴＡ）情報フィールドを含み、
前記ＳＴＡ情報フィールドが、前記２つ以上の局のうちの局が前記修正されたヌルデータパケットアナウンスメントに前記特定の時間において応答すべきかどうかを示すデータビットを備えるか、または、
前記ＳＴＡ情報フィールドが、前記ＣＳＩを通信するためのアップリンク送信のタイプを示すデータフィールドを備え、アップリンク送信の前記タイプが、多ユーザ多入力多出力（ＭＵ−ＭＩＭＯ）送信、および周波数分割多元接続（ＦＤＭＡ）送信のうちの少なくとも１つを備える、請求項１に記載の方法。
【請求項９】
前記要求の前記通信が、クリアツートランスミット（ＣＴＸ）メッセージを送信することを備え、
前記ＣＴＸメッセージが、前記ＣＴＸメッセージがサウンディングアナウンスメントＣＴＸフレームを含むことを示すフレーム制御（ＦＣ）フィールドを備えるか、または、
前記ＣＴＸメッセージが、制御（ＣＴＲＬ）フィールドを備え、前記ＣＴＲＬフィールドが、前記ＣＴＸメッセージがサウンディングアナウンスメントＣＴＸフレームを含むことを示すか、または、
前記ＣＴＸメッセージが、サウンディングシーケンス番号またはサウンディングトークンフィールドを備え、前記サウンディングシーケンス番号または前記サウンディングトークンフィールドが、前記受信されたＣＳＩが前記要求に対応していることを示すか、または、
前記ＣＴＸメッセージが、局（ＳＴＡ）情報フィールドを備え、前記ＳＴＡ情報フィールドが、前記ＳＴＡが前記ＣＴＸメッセージに前記特定の時間において応答すべきかどうかを示すデータビットを含むか、または、
前記ＣＴＸメッセージが、前記ＣＳＩを送信するためのアップリンク送信のタイプを示す許可される送信モードフィールドを備え、アップリンク送信の前記タイプが、多ユーザ多入力多出力（ＭＵ−ＭＩＭＯ）送信、および周波数分割多元接続（ＦＤＭＡ）送信のうちの少なくとも１つを備える、請求項１に記載の方法。
【請求項１０】
前記ＣＳＩを受信することに応答して、肯定応答フレームを送信することをさらに備え、
前記肯定応答フレームの前記送信が、マルチキャスト肯定応答フレームまたはブロック肯定応答フレームを送信することを備えるか、または、
前記肯定応答フレームの前記送信が、肯定応答フレームを個別に前記２つ以上の局の各々に同時に送信することを備える、請求項１に記載の方法。
【請求項１１】
ワイヤレス通信のための装置であって、
チャネル状態情報（ＣＳＩ）を特定の時間において同時に送信するように２つ以上の局に求める要求を、前記２つ以上の局に送信するための手段と、
前記２つ以上の局の各々から前記ＣＳＩを受信するための手段と
を備える、装置。
【請求項１２】
前記要求を送信するための前記手段が、
第２のメッセージの送信を示す第１のメッセージを送信するための手段と、前記第１のメッセージが、前記第２のメッセージを前記２つ以上の局が受信した後の前記特定の時間において同時に前記ＣＳＩを送信するように前記２つ以上の局に要求する、
前記２つ以上の局が前記ＣＳＩを送信すべきであることを示す第２のメッセージを送信するための手段と
を備えるか、または、
前記要求を送信するための前記手段が、前記ＣＳＩのためのアップリンク送信のタイプを示すサウンディングダイアログトークンフィールドを備えた、ヌルデータパケットアナウンスメントメッセージを送信するための手段を備えるか、または、
前記要求を送信するための前記手段が、修正されたヌルデータパケットアナウンスメントメッセージを送信するための手段を備え、前記修正されたヌルデータパケットアナウンスメントメッセージが、局（ＳＴＡ）情報フィールドを含み、前記ＳＴＡ情報フィールドが、前記２つ以上の局のうちの局が前記修正されたヌルデータパケットアナウンスメントメッセージに前記特定の時間において応答すべきかどうかを示すデータビットを含む、請求項１１に記載の装置。
【請求項１３】
前記要求を送信するための前記手段が、クリアツートランスミット（ＣＴＸ）メッセージを送信するための手段を備え、前記ＣＴＸメッセージが、フレーム制御（ＦＣ）フィールドまたは制御（ＣＴＲＬ）フィールドを含み、前記ＣＴＲＬフィールドの前記ＦＣフィールドが、前記ＣＴＸメッセージがサウンディングアナウンスメントＣＴＸフレームであることを示すか、または、
前記ＣＴＸメッセージが、サウンディングシーケンス番号またはサウンディングトークンフィールドを備え、前記サウンディングシーケンス番号または前記サウンディングトークンフィールドが、前記受信されたＣＳＩが前記要求に対応していることを示すか、または、
前記ＣＴＸメッセージが、局（ＳＴＡ）情報フィールドを備え、前記ＳＴＡ情報フィールドが、前記ＳＴＡが前記ＣＴＸメッセージに前記特定の時間において応答すべきかどうかを示すデータビットを含むか、または、
前記ＣＴＸメッセージが、前記ＣＳＩのためのアップリンク送信のタイプを示す許可される送信モードフィールドを備える、請求項１１に記載の装置。
【請求項１４】
実行されると、プロセッサに、請求項１〜１０のいずれか一項に記載の方法を実行させる命令を備える、コンピュータプログラム。
【手続補正２】
【補正対象書類名】明細書
【補正対象項目名】００６７
【補正方法】変更
【補正の内容】
【００６７】
[0077]上記は、本開示の態様を対象とするが、本開示の基本的な範囲を逸脱することなく、本開示の他の態様およびさらなる態様が考案されてよく、本開示の範囲は以下の特許請求の範囲によって決定される。
以下に、本願の出願当初の特許請求の範囲に記載された発明を付記する。
［Ｃ１］
ワイヤレス通信のための方法であって、
チャネル状態情報（ＣＳＩ）を特定の時間において同時に送信するように２つ以上の局に求める要求を、アクセスポイントから前記２つ以上の局に通信することと、
前記アクセスポイントにおいて、前記２つ以上の局の各々から前記ＣＳＩを受信することと
を備える、方法。
［Ｃ２］
前記ＣＳＩを前記受信することが、前記ＣＳＩを、多ユーザ多入力多出力（ＭＵ−ＭＩＭＯ）送信、周波数分割多元接続（ＦＤＭＡ）送信、および直交周波数分割多重化（ＯＦＤＭＡ）のうちの少なくとも１つまたは複数に従って受信することを備える、Ｃ１に記載の方法。
［Ｃ３］
前記ＣＳＩを前記受信することが、前記ＣＳＩを、前記２つ以上の局の各々から、互いに同じ持続時間を有するアップリンク送信を介して受信することを備える、Ｃ１に記載の方法。
［Ｃ４］
前記ＣＳＩを前記受信することが、前記ＣＳＩを、前記要求のデータフィールドの中で伝達される情報に基づいて受信することを備える、Ｃ１に記載の方法。
［Ｃ５］
前記要求の前記通信が、チャネル推定のためのトレーニング系列を含むメッセージを送信することを備える、Ｃ１に記載の方法。
［Ｃ６］
前記要求の前記通信が、前記要求を前記アクセスポイントから個別に前記２つ以上の局の各々に同時に送信することを備える、Ｃ１に記載の方法。
［Ｃ７］
前記要求を通信することが、
第２のメッセージの送信を示す第１のメッセージを送信することと、前記第１のメッセージが、前記第２のメッセージを前記２つ以上の局が受信した後の前記特定の時間において同時に前記ＣＳＩを送信するように前記２つ以上の局に要求する、
前記第２のメッセージを前記２つ以上の局に送信することと
を備える、Ｃ１に記載の方法。
［Ｃ８］
前記第１のメッセージが、ヌルデータパケットアナウンスメントメッセージを備える、Ｃ７に記載の方法。
［Ｃ９］
前記第２のメッセージが、トレーニングメッセージまたはヌルデータパケットを備える、Ｃ７に記載の方法。
［Ｃ１０］
前記特定の時間が、前記要求の前記通信の終わりの後、短フレーム間空間（ＳＩＦＳ）時間で生じる、Ｃ１に記載の方法。
［Ｃ１１］
前記特定の時間が、前記第２のメッセージの前記送信の終わりの後、短フレーム間空間（ＳＩＦＳ）時間で生じる、Ｃ７に記載の方法。
［Ｃ１２］
前記要求の前記通信が、ヌルデータパケットアナウンスメントメッセージを送信することを備える、Ｃ１に記載の方法。
［Ｃ１３］
前記ヌルデータパケットアナウンスメントメッセージが、前記ＣＳＩを送信するためのアップリンク送信のタイプを示すサウンディングダイアログトークンフィールドを備える、Ｃ１２に記載の方法。
［Ｃ１４］
アップリンク送信のタイプが、多ユーザ多入力多出力（ＭＵ−ＭＩＭＯ）送信、および周波数分割多元接続（ＦＤＭＡ）送信のうちの少なくとも１つを備える、Ｃ１３に記載の方法。
［Ｃ１５］
前記要求の前記通信が、修正されたヌルデータパケットアナウンスメントメッセージを送信することを備え、前記修正されたヌルデータパケットアナウンスメントメッセージが、局（ＳＴＡ）情報フィールドを含む、Ｃ１に記載の方法。
［Ｃ１６］
前記ＳＴＡ情報フィールドが、前記２つ以上の局のうちの局が前記修正されたヌルデータパケットアナウンスメントに前記特定の時間において応答すべきかどうかを示すデータビットを備える、Ｃ１５に記載の方法。
［Ｃ１７］
前記ＳＴＡ情報フィールドが、前記ＣＳＩを通信するためのアップリンク送信のタイプを示すデータフィールドを備える、Ｃ１５に記載の方法。
［Ｃ１８］
アップリンク送信の前記タイプが、多ユーザ多入力多出力（ＭＵ−ＭＩＭＯ）送信、および周波数分割多元接続（ＦＤＭＡ）送信のうちの少なくとも１つを備える、Ｃ１７に記載の方法。
［Ｃ１９］
前記要求の前記通信が、クリアツートランスミット（ＣＴＸ）メッセージを送信することを備える、Ｃ１に記載の方法。
［Ｃ２０］
前記ＣＴＸメッセージが、前記ＣＴＸメッセージがサウンディングアナウンスメントＣＴＸフレームを含むことを示すフレーム制御（ＦＣ）フィールドを備える、Ｃ１９に記載の方法。
［Ｃ２１］
前記ＣＴＸメッセージが、制御（ＣＴＲＬ）フィールドを備え、前記ＣＴＲＬフィールドが、前記ＣＴＸメッセージがサウンディングアナウンスメントＣＴＸフレームを含むことを示す、Ｃ１９に記載の方法。
［Ｃ２２］
前記ＣＴＸメッセージが、サウンディングシーケンス番号またはサウンディングトークンフィールドを備え、前記サウンディングシーケンス番号または前記サウンディングトークンフィールドが、前記受信されたＣＳＩが前記要求に対応していることを示す、Ｃ１９に記載の方法。
［Ｃ２３］
前記ＣＴＸメッセージが、局（ＳＴＡ）情報フィールドを備え、前記ＳＴＡ情報フィールドが、前記ＳＴＡが前記ＣＴＸメッセージに前記特定の時間において応答すべきかどうかを示すデータビットを含む、Ｃ１９に記載の方法。
［Ｃ２４］
前記ＣＴＸメッセージが、前記ＣＳＩを送信するためのアップリンク送信のタイプを示す許可される送信モードフィールドを備える、Ｃ１９に記載の方法。
［Ｃ２５］
アップリンク送信のタイプが、多ユーザ多入力多出力（ＭＵ−ＭＩＭＯ）送信、および周波数分割多元接続（ＦＤＭＡ）送信のうちの少なくとも１つを備える、Ｃ２４に記載の方法。
［Ｃ２６］
前記ＣＳＩを受信することに応答して、肯定応答フレームを送信することをさらに備える、Ｃ１に記載の方法。
［Ｃ２７］
前記肯定応答フレームの前記送信が、マルチキャスト肯定応答フレームまたはブロック肯定応答フレームを送信することを備える、Ｃ２６に記載の方法。
［Ｃ２８］
前記肯定応答フレームの前記送信が、肯定応答フレームを個別に前記２つ以上の局の各々に同時に送信することを備える、Ｃ２６に記載の方法。
［Ｃ２９］
ワイヤレス通信のための装置であって、
チャネル状態情報（ＣＳＩ）を特定の時間において同時に送信するように２つ以上の局に求める要求を、前記２つ以上の局に送信するように構成される送信機と、
前記２つ以上の局の各々から前記ＣＳＩを受信するように構成される受信機と
を備える、装置。
［Ｃ３０］
前記送信機がさらに、
第２のメッセージの送信を示す第１のメッセージを送信し、前記第１のメッセージが、前記第２のメッセージを前記２つ以上の局が受信した後の前記特定の時間において同時に前記ＣＳＩを送信するように前記２つ以上の局に要求する、
前記第２のメッセージを前記２つ以上の局に送信する
ように構成される、Ｃ２９に記載の装置。
［Ｃ３１］
前記送信機がさらに、ヌルデータパケットアナウンスメントメッセージを送信することによって、前記要求を送信するように構成され、前記ヌルデータパケットアナウンスメントメッセージが、前記ＣＳＩのためのアップリンク送信のタイプを示すサウンディングダイアログトークンフィールドを含む、Ｃ２９に記載の装置。
［Ｃ３２］
前記送信機がさらに、修正されたヌルデータパケットアナウンスメントメッセージを送信することによって、前記要求を送信するように構成され、前記修正されたヌルデータパケットアナウンスメントが、局（ＳＴＡ）情報フィールドを含む、Ｃ２９に記載の装置。
［Ｃ３３］
前記修正されたヌルデータパケットアナウンスメントメッセージを生成するように構成されるプロセッサをさらに備え、前記ＳＴＡ情報フィールドが、ＳＴＡが前記修正されたヌルデータパケットアナウンスメントに前記特定の時間において応答すべきかどうかを示すデータビットを備える、Ｃ３２に記載の装置。
［Ｃ３４］
前記修正されたヌルデータパケットアナウンスメントメッセージを生成するように構成されるプロセッサをさらに備え、前記ＳＴＡ情報フィールドが、前記ＣＳＩを送信するためのアップリンク送信のタイプを示すデータフィールドを備える、Ｃ３２に記載の装置。
［Ｃ３５］
前記送信機がさらに、クリアツートランスミット（ＣＴＸ）メッセージを送信することによって、前記要求を送信するように構成される、Ｃ２９に記載の装置。
［Ｃ３６］
前記ＣＴＸメッセージを生成するように構成されるプロセッサをさらに備え、前記ＣＴＸメッセージが、フレーム制御（ＦＣ）フィールドまたは制御（ＣＴＲＬ）フィールドを備え、前記ＦＣフィールドまたはＣＴＲＬフィールドが、前記ＣＴＸメッセージがサウンディングアナウンスメントＣＴＸフレームであることを示す、Ｃ３５に記載の装置。
［Ｃ３７］
前記ＣＴＸメッセージを生成するように構成されるプロセッサをさらに備え、前記ＣＴＸメッセージが、サウンディングシーケンス番号またはサウンディングトークンフィールドを備え、前記サウンディングシーケンス番号または前記サウンディングトークンフィールドが、前記受信されたＣＳＩが前記要求に対応していることを示す、Ｃ３５に記載の装置。
［Ｃ３８］
前記ＣＴＸメッセージを生成するように構成されるプロセッサをさらに備え、前記ＣＴＸメッセージが、局（ＳＴＡ）情報フィールドを備え、前記ＳＴＡ情報フィールドが、前記ＳＴＡが前記ＣＴＸメッセージに前記特定の時間において応答すべきかどうかを示すデータビットを含む、Ｃ３５に記載の装置。
［Ｃ３９］
前記ＣＴＸメッセージを生成するように構成されるプロセッサをさらに備え、前記ＣＴＸメッセージが、前記ＣＳＩのためのアップリンク送信のタイプを示す許可される送信モードフィールドを備える、Ｃ３５に記載の装置。
［Ｃ４０］
ワイヤレス通信のための装置であって、
チャネル状態情報（ＣＳＩ）を特定の時間において同時に送信するように２つ以上の局に求める要求を、前記２つ以上の局に送信するための手段と、
前記２つ以上の局の各々から前記ＣＳＩを受信するための手段と
を備える、装置。
［Ｃ４１］
前記要求を送信するための前記手段が、
第２のメッセージの送信を示す第１のメッセージを送信するための手段と、前記第１のメッセージが、前記第２のメッセージを前記２つ以上の局が受信した後の前記特定の時間において同時に前記ＣＳＩを送信するように前記２つ以上の局に要求する、
前記２つ以上の局が前記ＣＳＩを送信すべきであることを示す第２のメッセージを送信するための手段と
を備える、Ｃ４０に記載の装置。
［Ｃ４２］
前記要求を送信するための前記手段が、前記ＣＳＩのためのアップリンク送信のタイプを示すサウンディングダイアログトークンフィールドを備えた、ヌルデータパケットアナウンスメントメッセージを送信するための手段を備える、Ｃ４０に記載の装置。
［Ｃ４３］
前記要求を送信するための前記手段が、修正されたヌルデータパケットアナウンスメントメッセージを送信するための手段を備え、前記修正されたヌルデータパケットアナウンスメントメッセージが、局（ＳＴＡ）情報フィールドを含み、前記ＳＴＡ情報フィールドが、前記２つ以上の局のうちの局が前記修正されたヌルデータパケットアナウンスメントメッセージに前記特定の時間において応答すべきかどうかを示すデータビットを含む、Ｃ４０に記載の装置。
［Ｃ４４］
前記要求を送信するための前記手段が、クリアツートランスミット（ＣＴＸ）メッセージを送信するための手段を備え、前記ＣＴＸメッセージが、フレーム制御（ＦＣ）フィールドまたは制御（ＣＴＲＬ）フィールドを備え、前記ＣＴＲＬフィールドの前記ＦＣフィールドが、前記ＣＴＸメッセージがサウンディングアナウンスメントＣＴＸフレームであることを示す、Ｃ４０に記載の装置。
［Ｃ４５］
実行されると、プロセッサに、
チャネル状態情報（ＣＳＩ）を特定の時間において同時に送信するように２つ以上の局に求める要求を、前記２つ以上の局に送信し、
前記２つ以上の局の各々から前記ＣＳＩを受信する
方法を実行させる命令を備える、非一時的コンピュータ可読媒体。
［Ｃ４６］
前記要求を送信することが、
第２のメッセージの送信を示し、前記第２のメッセージの前記送信を前記２つ以上の局が受信した後の前記特定の時間において同時に前記ＣＳＩを送信するように前記２つ以上の局に要求する、第１のメッセージを送信することと、
前記第２のメッセージを送信することと
を備える、Ｃ４５に記載の媒体。
［Ｃ４７］
前記要求を送信することが、ヌルデータパケットアナウンスメントメッセージを送信することを備え、前記ヌルデータパケットアナウンスメントメッセージが、前記ＣＳＩを送信するためのアップリンク送信のタイプを示すサウンディングダイアログトークンフィールドを含む、Ｃ４５に記載の媒体。
［Ｃ４８］
前記要求を送信することが、クリアツートランスミット（ＣＴＸ）メッセージを送信することを備え、前記ＣＴＸメッセージが、フレーム制御（ＦＣ）フィールドまたは制御（ＣＴＲＬ）フィールドを含み、前記ＦＣフィールドまたはＣＴＲＬフィールドが、前記ＣＴＸメッセージがサウンディングアナウンスメントＣＴＸフレームであることを示す、Ｃ４５に記載の媒体。